(57)【要約】【課題】無線媒体の効率的な利用及び省電力効果を目的とする。【解決手段】有線通信と無線通信を接続し複数の無線端末を管理するＡＰを複数具備する基地局と複数の無線端末より構成される無線通信システムにおいて、基地局は無線端末と接続するチャンネル及びＥＳＳ−ＩＤを複数のＡＰと同数所持し、複数のＡＰはそれぞれ異なる前記チャンネル及びＥＳＳ−ＩＤで無線端末との接続を管理し、基地局は無線端末の接続台数が予め定められた台数以下となった際に最も接続台数が少ない複数のＡＰを特定し、基地局は複数のＡＰとその接続端末がデータの送受信中であるかを調べ、データ通信中でなければ特定されたＡＰへの電力の給電を停止または低消費電力モードへ切り換える。【選択図】        図１
2004165953.tif 000002
【特許請求の範囲】
【請求項１】
有線通信と無線通信を接続し複数の無線端末を管理するアクセスポイント機能を複数具備する基地局と複数の無線端末より構成される無線通信システムにおいて、
前記基地局は前記無線端末と接続するチャネル及びアクセスポイント識別符号を前記複数のアクセスポイント機能具備数と同数所持する手段と、
前記複数のアクセスポイント機能はそれぞれ異なる前記チャネル及びアクセスポイント識別符号で前記無線端末との接続を管理する手段と、
前記基地局は前記無線端末の接続台数が予め定められた台数以下となった際に、最も接続台数が少ない前記複数のアクセスポイント機能を特定する手段と、
前記基地局は前記複数のアクセスポイント機能とその接続端末がデータの送受信中であるかを調べる手段と、
前記特定されたアクセスポイント機能がデータ通信中でなければ前記特定されたアクセスポイント機能への電力の給電を停止する手段を備えることを特徴とする無線通信システム。
【請求項２】
有線通信と無線通信を接続し複数の無線端末を管理するアクセスポイント機能を複数具備する基地局と複数の無線端末より構成される無線通信システムにおいて、
前記基地局は前記無線端末と接続するチャネル及びアクセスポイント識別符号を前記複数のアクセスポイント機能具備数と同数所持する手段と、
前記複数のアクセスポイント機能はそれぞれ異なる前記チャネル及びアクセスポイント識別符号で前記無線端末との接続を管理する手段と、
前記基地局は前記無線端末の接続台数が予め定められた台数以下となった際に、最も接続台数が少ない前記複数のアクセスポイント機能を特定する手段と、
前記基地局は前記複数のアクセスポイント機能とその接続端末がデータの送受信中であるかを調べる手段と、
前記特定されたアクセスポイント機能がデータ通信中でなければ前記特定されたアクセスポイント機能への電力給電を低電力給電に切り換える手段を備えることを特徴とする無線通信システム。
【請求項３】
請求項１または２の無線通信システムにおいて、
前記無線端末は、前記複数のチャネル及び複数の前記アクセスポイント識別符号を記憶する手段と、
前記アクセスポイント識別符号に接続に関する優先度を設定する手段と、
前記複数のアクセスポイント機能より前記優先度の高いアクセスポイント識別符号で動作するアクセスポイント機能を検索し、接続処理を行う手段を備えることを特徴とする無線通信システム。
【請求項４】
請求項１または２の無線通信システムにおいて、
前記無線端末は接続状態にあった前記アクセスポイント機能が送出する同報信号の受信が不可となった際に、前記複数のアクセスポイント機能より前記優先度が次に高い前記アクセスポイント識別符号で動作するアクセスポイント機能を検索し、接続処理を行う手段を備えることを特徴とする無線通信システム。
【発明の詳細な説明】
【０００１】
【発明の属する技術分野】
本発明は、有線通信と無線通信を接続し複数の無線端末を管理するアクセスポイント機能を複数具備する基地局と複数の無線端末より構成される無線通信システムにおいて、アクセスポイント機能の管理と、アクセスポイント機能毎の端末の接続を制御する方法に関する。
【０００２】
【従来の技術】
従来より、有線ＬＡＮと接続されたブリッジ装置と多数の無線端末との間でネットワークを構成する無線ＬＡＮシステムが存在する。
【０００３】
無線ＬＡＮシステムは、有線ＬＡＮシステムとのブリッジとなるアクセスポイント（以後ＡＰ）と、ＡＰと通信するひとつ、または複数の無線端末（以後ＳＴＡ）とからなる。
【０００４】
ＡＰは一定周期で同報信号（ビーコン信号）を送出している。ＳＴＡは電源投入時に、ＡＰからビーコン信号の検索を開始する。検索方法はＳＴＡに予め登録したチャネル、ＡＰ識別符号でビーコン信号を送出しているＡＰを検索する方法と、ＳＴＡよりプローブ信号（ＡＰ探索信号）を送信し動作ＡＰよりプローブ応答を受信する方法などがある。
【０００５】
接続先ＡＰを検知したＳＴＡはマネジメントフレームを送信してＡＰに対して認証確認、接続処理などのネゴシエーション処理を行う。
【０００６】
ネゴシエーション処理後、ＡＰと接続状態にある各ＳＴＡはビーコン信号を受信することにより同期確立を行い、無線ＬＡＮシステムに加入し、データ通信を行うことができる。
【０００７】
データ通信方法はＡＰがビーコン信号を送信からＣｏｎｔｅｎｔｉｏｎ  Ｆｒｅｅ−Ｅｎｄ（ＣＦ−Ｅｎｄ）を送信する間の「Ｃｏｎｔｅｎｔｉｏｎ  Ｆｒｅｅ」期間はＡＰが各端末にポーリングを行い端末の送信制御を行う「集中制御方式」と、ＲＴＳ−ＣＴＳ方式を用いて他の端末に対して無線媒体の占有の確認を行い、占有期間を他の端末に知らせる各分散制御方式などがある。
【０００８】
【発明が解決しようとする課題】
例えばＩＥＥＥ８０２．１１ｂ方式による無線ＬＡＮシステムは１４チャネルの使用が可能である。しかし隣接した空間で伝送速度を保証して利用するにあたっては１４チャネルあっても実際に干渉なしで利用できるのはその中の４ｃｈまでが限度である。
【０００９】
従って例えば図１に示すようなＡＰを同一筐体に４つ収容するような装置の場合、図２に示すように１つの装置で干渉なしで利用できるチャネルを全て占有してしまう。従って同一セル内に存在する他のＡＰは利用可能チャネルを見つけることができないため、動作することができない。
【００１０】
また、例えば図１に示すような構成において、ＡＰ（１０５〜１０８）におけるＳＴＡ（１０９）台数を伝送速度の保証などから最大数を例えば３台とする。図に示すように稼動しているＳＴＡは６台なので本来なら２台のＡＰで十分である。これは余分なチャネルを２つ占有し、さらにＡＰ２つ分の余分な電力を消費していることになる。
【００１１】
【課題を解決するための手段】
本発明によれば、有線通信と無線通信を接続し複数の無線端末を管理するアクセスポイント機能を複数具備する基地局と複数の無線端末より構成される無線通信システムにおいて、
前記基地局は前記無線端末と接続するチャネル及びアクセスポイント識別符号を前記複数のアクセスポイント機能具備数と同数所持する手段と、
前記複数のアクセスポイント機能はそれぞれ異なる前記チャネル及びアクセスポイント識別符号で前記無線端末との接続を管理する手段と、
前記基地局は前記無線端末の接続台数が予め定められた台数以下となった際に、最も接続台数が少ない前記複数のアクセスポイント機能を特定する手段と、
前記基地局は前記複数のアクセスポイント機能とその接続端末がデータの送受信中であるかを調べる手段と、
前記特定されたアクセスポイント機能がデータ通信中でなければ前記特定されたアクセスポイント機能への電力の給電を停止もしくは低電力給電に切り換える手段を備え、
前記無線端末は、前記複数のチャネル及び複数の前記アクセスポイント識別符号を記憶する手段と、
前記アクセスポイント識別符号に接続に関する優先度を設定する手段と、
前記複数のアクセスポイント機能より前記優先度の高いアクセスポイント識別符号で動作するアクセスポイント機能を検索し、接続処理を行う手段を備え、
前記無線端末は接続状態にあった前記アクセスポイント機能が送出する同報信号の受信が不可となった際に、前記複数のアクセスポイント機能より前記優先度が次に高い前記アクセスポイント識別符号で動作するアクセスポイント機能を検索し、接続処理を行う手段を備えることで無線媒体の効率的な利用及び省電力効果を得ることを可能とする。
【００１２】
【発明の実施の形態】
（実施例１）
図１に本発明の構成例を示す。
【００１３】
図１は４つのＡＰを（１０５〜１０８）を同一筐体に収容する基地局（１０１、以後ＭＦＡＰ）によって、複数のＳＴＡ（１０９）を管理する無線通信システム構成図である。
【００１４】
ＭＦＡＰ（１０１）はＡＰ（１０５〜１０８）を介してそれぞれ異なるチャネル及び異なるＡＰ識別符号（以後ＥＳＳ−ＩＤ）で無線端末（１０９、以後ＳＴＡ）と接続処理を行い、有線ＬＡＮと接続される。
【００１５】
ＡＰ動作状態監視部（１０２）はＭＦＡＰ制御部（１０３）が各ＡＰ（１０５〜１０８）の動作状態を監視するためにＡＰ管理部（１０４）によって取得されたＡＰに関する情報及び接続ＳＴＡ（１０９）に関する情報を記憶する。取得情報の一例として例えば図３に示すようなテーブルで管理される。その内容は各ＡＰ名、ＡＰ（１０５〜１０８）の稼動優先順位を示すＡＰ優先度（Ｐｒｉｏｒｉｔｙ）、各ＡＰ（１０５〜１０８）が現在接続中のＳＴＡ名称（Ｕｓｅｒ  Ｎａｍｅ）、各ＳＴＡ（１０９）のＭＡＣ  Ａｄｄｒｅｓｓ、ＡＰ（１０５〜１０８）が使用しているＥＳＳ−ＩＤ（ＥＳＳ−ＩＤ）、ＡＰ（１０５〜１０８）が使用しているチャネル（ＣＨ）、また通信状況を把握するためにＡＰ（１０５〜１０８）からそれぞれ接続端末へ最後に送信したパケット内容（ＡＰ  →  Ｕｓｅｒ）、接続端末よりＡＰ（１０５〜１０８）に最後に送信したパケット内容（Ｕｓｅｒ→ＡＰ）などである。
【００１６】
ＭＦＡＰ制御部（１０３）はＡＰ管理部（１０４）にＡＰ動作状態監視部（１０２）のＡＰ動作状態情報テーブル（図３）更新指示を出す。さらにＡＰ動作状態情報テーブル（図３）の内容に基づいて、ＡＰ管理部（１０４）にＡＰの動作制御などの指示を出す。
【００１７】
ＡＰ管理部（１０４、以後ＡＰＭ）はＭＦＡＰ制御部（１０３）よりＡＰ（１０９）に関する制御指示を受け、ＡＰより通信情報及びＳＮＭＰなどに則って送受パケット情報の取得を取得してＡＰ動作状態監視部（１０２）のＡＰ動作状態情報テーブル（図３）の更新処理、及び電源供給制御などを実行する。
ＡＰ（１０５〜１０８）の構成を図４に示す。
【００１８】
ＭＦＡＰ  Ｉ／Ｆ処理部（４０１）はＭＦＡＰ（１０１）とのデータの送受を処理するインターフェース部である。
【００１９】
ＡＰ制御部（４０２）は例えばＩＥＥＥ８０２．１１ｂ標準に準拠したデータパケットを解析し、さらに無線信号制御等のファームウェアやＭＡＣアドレス認証機能も搭載され、有線網とのインターフェース機能を具備する。
【００２０】
データ処理部（４０３）はＡＰ制御部（４０２）による送信すべき情報を所定の送信データフォーマットに変換、または受信データよりＡＰ制御部（４０２）に渡す受信情報を抽出する。
【００２１】
変復調部（４０４）は送信データに変調を施し送信信号を生成し、受信信号に復調を施し受信データを抽出する。
【００２２】
無線送受処理部（４０５）は送信信号を所定の周波数に変換し、増幅及びフィルタリングなどの処理を施し、無線送信信号を生成、または無線受信信号を所定の周波数に変換し、増幅及びフィルタリングなどの処理を施し受信信号を生成する。
【００２３】
アンテナ（４０７）は無線送受処理部（４０５）に生成された無線送信信号を送信、また無線信号を受信する。ここではＡＰ（１０５〜１０８）において伝送速度確保のためＳＴＡの最大接続数を制限し、ＳＴＡ最大接続数を３台までしか許可しないこととする。
【００２４】
ＳＴＡ（１０９）は複数の端末局であり、その構成を図５に示す。
【００２５】
ＰＣカード（５０３）は例えばＩＥＥＥ８０２．１１ｂ標準に準拠した無線信号の送受信機能を有するＰＣカード型ワイヤレスＬＡＮアダプタである。
【００２６】
ノート型ＰＣ（５０２）はＰＣカード型ワイヤレスＬＡＮアダプタ（５０３）を装着し、インストールされたＳＴＡドライバソフトを起動させることでユーザーは入力画面（５０１）を使用してアドホックモード、またはインフラストラクチャーモードの設定、通信チャネル、ＥＳＳ−ＩＤなどの通信パラメータの設定を可能とする。
【００２７】
ここでは各ＳＴＡにおいてはＳＴ１、ＳＴ２はＡＰ１（ＥＳＳ−ＩＤ＝Ｇｒｏｕｐ１）に、ＳＴ３、ＳＴ４，ＳＴ５はＡＰ２（ＥＳＳ−ＩＤ＝Ｇｒｏｕｐ２）に、ＳＴ６はＡＰ３（ＥＳＳ−ＩＤ＝Ｇｒｏｕｐ３）に、ＳＴ７はＡＰ４（ＥＳＳ−ＩＤ＝Ｇｒｏｕｐ４）に優先的に接続されるよう予めＥＳＳ−ＩＤを設定しておく。また優先接続先ＡＰが検知できない場合に備えて、ＳＴ１、ＳＴ２においては第２接続先としてＡＰ２を、ＳＴ３、ＳＴ４、ＳＴ５においては第２接続先としてＡＰ３を、ＳＴ６においては第２接続先としてＡＰ４を、ＳＴ７においては第２接続先としてＡＰ１を登録しておく。同様に第３、第４接続先ＡＰも登録しておく。図５におけるノート型ＰＣ（５０２）のディスプレイ表示はＳＴ７の設定内容を示している。
【００２８】
（１１０）はイーサネットケーブル等の有線網、（１１１）はＡＣ等から得る電源を各ブロックへ供給する電源部である。
【００２９】
次に具体的な動作を図７のＡＲＭ動作フローチャート図、図９のシーケンス図、図１０のシステム構成図に基づいてここでは無線通信手段としてＩＥＥＥ８０２．１１ｂ準拠の通信プロトコルに準じて動作実施例を説明する。
【００３０】
まず図１０において、ＭＦＡＰ（１０１）に電源を投入し動作を開始する。各ＡＰ（１０５〜１０８）はそれぞれ異なったチャネル、ＥＳＳ−ＩＤでビーコン信号送出を開始する（９０１）。各ＡＰ（１０５〜１０８）はビーコン信号の送信完了をＡＰＭ（１０４）に通知する（９０２、Ｓ７０１）。さらに各ＡＰ（１０５〜１０８）はＣｏｎｔｅｎｔｉｏｎ  Ｆｒｅｅ−Ｅｎｄ信号（以後ＣＦ−Ｅｎｄ信号）を送信完了した場合（９０３）はＡＲＭ（１０４）にＣｏｎｔｅｎｔｉｏｎ  Ｆｒｅｅ期間の終了を「ＣＦＰ終了通知」で通知する（９０４、Ｓ７０２）。
【００３１】
ＡＰＭ（１０４）はＡＰ１より「ＣＦＰ終了通知」を受信すると、ＡＰ１へ「ＡＰ１データ取得要求」を送信する（９０５、Ｓ７０３）。「ＡＰ１データ取得要求」を受信したＡＰ１は接続中のＳＴＡ名称、接続中のＳＴＡのＭＡＣ  Ａｄｄｒｅｓｓ、ＡＰ１が使用しているＥＳＳ−ＩＤ、ＡＰ１が使用しているチャネル、またＡＰ１の通信状況を把握するためにＡＰ１から接続端末へ最後に送信したパケット内容、接続端末よりＡＰ１に最後に送信したパケット内容を「ＡＰ１データ取得応答」に設定してＡＰＭ（１０４）に応答する（９０６）。
【００３２】
ＡＲＭ（１０４）は「ＡＰ１データ取得応答」を受信すると（Ｓ７０４）、ＡＰ動作状態監視部（１０２）にアクセスし、ＡＰ動作状態情報テーブル（図３）を更新する（Ｓ７０５）。更新完了後ＡＲＭ（１０４）はＭＦＡＰ制御部（１０３）に「ＡＰ１データ取得完了通知」を送信する（９０７、Ｓ７０６）。「ＡＰ１データ取得完了通知」を受信したＭＦＡＰ制御部（１０３）はＡＰ動作状態監視部（１０２）にアクセスし、ＡＰ動作状態情報テーブル（図３）を読み込むことでＡＰ動作状態情報を取得する。ＡＰ２（図示せず）、ＡＰ３（図示せず）、ＡＰ４に対しても同様の処理を行い（９０８〜９１２）、ＭＦＡＰ制御部（１０３）は全ＡＰに関する最新のＡＰ動作状態情報を取得することができる。
【００３３】
各ＡＰからのビーコン信号をそれぞれＳＴＡが受信、または各ＳＴＡからのプローブ信号を受信したそれぞれＡＰがプローブ応答を送信するなどして、ＡＰ、ＳＴＡはお互いが稼動状態であることを確認する。各ＳＴＡはそれぞれＡＰと認証確認、接続シーケンスを行い、データ通信が可能な状態に移行し、先に各ＳＴＡに設定したパラメータに従って、図１０に示すようにＡＰ１に２台、ＡＰ２に３台、ＡＰ３、ＡＰ４にそれぞれに１台のＳＴＡが接続される。
【００３４】
ＭＦＡＰ制御部（１０３）がＡＰ動作状態情報テーブル（図３）を基にＡＰの動作をどう制御していくかをＡＰ４、ＳＴ７を用いて説明する。
【００３５】
図６にＭＦＡＰ制御部（１０３）の動作フローチャート示す。ＳＴ７とＡＰ４が認証確認、接続シーケンスを行い（９１３）、データ通信が可能な状態に移行すると、ＡＰＭ（１０４）は先に説明した同様の手順で図７のフローチャートに則ってＡＰ４の動作状態情報を取得し、ＡＰ動作状態情報テーブル（図３）を更新後ＭＦＡＰ制御部（１０３）に「ＡＰ４データ取得完了通知」を送信する（９１６〜９２０）。
【００３６】
「ＡＰ４データ取得完了通知」を受信した（Ｓ６０１）ＭＦＡＰ制御部（１０３）はＡＰ動作状態監視部（１０２）にアクセスし、ＡＰ動作状態情報テーブル（図３）より稼動ＡＰ数（以後Ｎａ、初期値はＮａ＝４）、基地局（１０１）接続中ＳＴＡ総数（以後Ｎｓ、１つのＡＰの最大接続数が３台なのでその最大値Ｎａ×３＝１２）、を取得する（Ｓ６０２、Ｓ６０３）。
【００３７】
次にＡＰ一つを動作停止状態にしても接続中ＳＴＡを管理できるどうか「Ｎｓ」と「（Ｎａ−１）×３」を比較する（「３」はＡＰのＳＴＡ最大接続数である。Ｓ６０４）。
【００３８】
「Ｎｓ」値が「（Ｎａ−１）×３」値より小さい場合、ＭＦＡＰ制御部（１０３）は基地局（１０１）接続中全ＳＴＡの管理はＡＰ１台の動作を停止しても可能と判断できる。「Ｎｓ」値が「（Ｎａ−１）×３」値より大きい場合ＭＦＡＰ制御部（１０３）はＡＰ１台の動作を停止すると基地局（１０１）接続中全ＳＴＡの管理ができなくなるので図６の処理を終了する。
【００３９】
「Ｎｓ」値が「（Ｎａ−１）×３」値より小さいと判断された場合は「接続ＳＴＡ数が最も少ないＡＰ」を検索する（Ｓ６０５）。図１０における構成図の場合はＡＰ３、ＡＰ４が相当する。図１０のように該当ＡＰが複数相当ある場合（Ｓ６０６）には図３のＡＰ動作状態情報テーブルにおけるＡＰ優先度（Ｐｒｉｏｒｉｔｙ）の低い方を選択する（Ｓ６０７）。図６における構成図の場合はＡＰ動作状態情報テーブル（図３）よりＡＰ４を選択する。
【００４０】
次にＭＦＡＰ制御部（１０３）はＡＰ動作状態情報テーブル（図３）よりＡＰ４の通信状況を把握するために「ＡＰ４からＳＴ７へ最後に送信したパケット内容」、「ＳＴ７よりＡＰ４に最後に送信したパケット内容」を取得する（Ｓ６０８）。
【００４１】
図９において、「ＡＰ４からＳＴ７へ最後に送信したパケット内容」、「ＳＴ７よりＡＰ４に最後に送信したパケット内容」はそれぞれ「Ｄａｔａ＋ＣＦ−Ｐｏｌｌ」（９１４）、「Ｄａｔａ−＋Ａｃｋ」（９１５）である。つまりＡＰ４とＳＴ７においては「データとポーリング」信号、「データと確認応答」信号が最新送受履歴であって、ＡＰ４とＳＴ７はデータ通信中であることわかる（Ｓ６０９）。ＡＰ４とＳＴ７とデータ通信中なのでＭＦＡＰ制御部（１０３）は処理を終了する。
【００４２】
一定時間経過後、再びＡＰＭ（１０４）はＡＰ４よりビーコン送信完了通知（９２２）を受信し、同様の手順でＡＰ４の動作状態情報を取得し、ＡＰ動作状態情報テーブル（図３）を更新後ＭＦＡＰ制御部（１０３）に「ＡＰ４データ取得完了通知」を送信する（９２６〜９２９）。
【００４３】
ＭＦＡＰ制御部（１０３）は再び図６のフローチャートに則って処理を開始し、ここで（Ｓ６０８）において再び通信状況を確認すると、「ＡＰ４からＳＴ７へ最後に送信したパケット内容」、「ＳＴ７よりＡＰ４に最後に送信したパケット内容」はそれぞれ「ＣＦ−Ａｃｋ＋ＣＦ−Ｐｏｌｌ」（９２３）、「ＣＦ−Ａｃｋ」（９２４）である。つまりＡＰ４とＳＴ７においては「確認応答とポーリング」信号、「確認応答」信号が最新送受履歴であってＡＰ４とＳＴ７はデータ通信が終了していることわかる（Ｓ６０９）。
【００４４】
ＡＰ４がデータ通信を終了している事を確認したＭＦＡＰ制御部（１０３）はＡＰＭ（１０４）へＡＰ４の「ＡＰ電源停止要求」（９３０）を送信する（Ｓ６１０）。
【００４５】
図８にＭＦＡＰ制御部（１０３）より「ＡＰ電源停止要求」をＡＰＭ（１０４）が受信した場合のフローチャート図を示す。
【００４６】
ＡＰＭ（１０４）はＭＦＡＰ制御部（１０３）より「ＡＰ電源停止要求」を受信すると、ＡＰ４に対して「認証解除送信要求」を通知する（９３１、Ｓ８０１）。「認証解除送信要求」を受信したＡＰ４は接続中ＳＴＡに対して「認証解除通知」を送信し（９３２）、ＡＰＭ（１０４）へ「認証解除送信要求応答」を送信する（９３３）。
【００４７】
ＡＰＭ（１０４）は「認証解除送信要求応答」を受信すると（Ｓ８０２）ＡＰ４への電源供給を停止し（Ｓ８０３）、図３のＡＰ動作状態情報テーブルを更新する（Ｓ８０４）。
【００４８】
ＡＰ４が電源供給を停止されたため、ＡＰ４からのビーコン信号を受信できなくなったＳＴ７は第２接続先であるＡＰ１のビーコン信号を検索、またはプローブ信号を送信するなどして、ＡＰ１を検索し、認証確認、接続シーケンスを行い（９３４、９３５）、データ通信が可能な状態に移行する（９３６）。
【００４９】
以上の手順で図１０に示すように電源投入時は４つのＡＰでＳＴＡを管理していた基地局は３つのＡＰで全てのＳＴＡの管理を可能とする。
【００５０】
（実施例２）
実施例１における図４のＡＰブロック図に電源制御部（１１０６）を追加して、ＡＰのブロック構成図を図１１のようにする。
【００５１】
実施例１と同様の手順でＡＰＭ（１０４）はＭＦＡＰ制御部（１０３）より「ＡＰ電源停止要求」を受信すると、ＡＰ４に対して「認証解除送信要求」を通知する（Ｓ１２０１）。「認証解除送信要求」を受信したＡＰ４は接続中ＳＴＡに対して「認証解除通知」を送信し、ＡＰＭ（１０４）へ「認証解除送信要求応答」を送信する。
【００５２】
ＡＰＭ（１０４）は「認証解除送信要求応答」を受信すると（Ｓ１２０２）ＡＰ４への「電源制御指示」へを送信し（Ｓ１２０３）、ＡＰ動作状態情報テーブル（図３）を更新する（Ｓ１２０４）。
【００５３】
ＡＰ４は「電源制御指示」を受信するとＭＦＡＰ  Ｉ／Ｆ処理部（１１０１）経由で電源制御部（１１０６）へその旨を通知する。「電源制御指示」を受信した電源制御部（１１０６）は無線送受処理部（１１０５）への電源供給を停止する。
【００５４】
この結果、ＡＰ４を駆動させるには低消費の電力の済むので省電力の効果を維持しつつ、無線媒体の有効に活用することができる。さらにＡＰ４が再び必要となった際には電源制御部（１１０６）に指示を送り、無線送受処理部（１１０５）にのみ電源を供給することで早急にＡＰ４を動作状態に設定することができる。
【００５５】
【発明の効果】
本発明によれば、有線通信と無線通信を接続し複数の無線端末を管理するＡＰを複数具備する基地局と複数の無線端末より構成される無線通信システムにおいて、前記基地局は前記無線端末と接続するチャネル及びＥＳＳ−ＩＤを前記複数のＡＰと同数所持し、前記複数のＡＰはそれぞれ異なる前記チャネル及びＥＳＳ−ＩＤで前記無線端末との接続を管理し、前記基地局は前記無線端末の接続台数が予め定められた台数以下となった際に最も接続台数が少ない前記複数のＡＰを特定し、前記基地局は前記複数のＡＰとその接続端末がデータの送受信中であるかを調べる手段と、データ通信中でなければ前記特定されたＡＰへの電力の給電を停止または低消費電力モードへ切り換える手段を備え、ＥＳＳ−ＩＤの優先度が次に高いＥＳＳ−ＩＤに該当する前記ＡＰを検索し、接続処理を行う手段を備えることで無線媒体の効率的な利用及び省電力効果を得ることを可能にする。
【図面の簡単な説明】
【図１】本発明による実施例１、２におけるシステム構成図１
【図２】ＭＦＡＰによる電波干渉
【図３】ＡＰ動作状態情報テーブル
【図４】ＡＰブロック図
【図５】ＳＴＡ構成図
【図６】ＭＦＡＰにおけるＡＰ電源ＯＦＦ処理動作に関するフローチャート図
【図７】ＡＰ管理部におけるＡＰ動作状態情報取得に関するフローチャート図
【図８】ＡＰ管理部におけるＡＰ電源ＯＦＦ指示動作に関するフローチャート図
【図９】実施例１の手順を示すシーケンス図
【図１０】本発明による実施例１、２におけるシステム構成図２
【図１１】本発明による実施例２におけるＡＰ構成図２
【図１２】ＡＰ管理部におけるＡＰ電源制御指示に関するフロー図
【符号の説明】
１０１  ＭＦＡＰ
１０２  ＡＰ動作状態監視部
１０３  ＭＦＡＰ制御部
１０４  ＡＰ管理部
【図１】
2004165953.tif 000003
【図２】
2004165953.tif 000004
【図３】
2004165953.tif 000005
【図４】
2004165953.tif 000006
【図５】
2004165953.tif 000007
【図６】
2004165953.tif 000008
【図７】
2004165953.tif 000009
【図８】
2004165953.tif 000010
【図９】
2004165953.tif 000011
【図１０】
2004165953.tif 000012
【図１１】
2004165953.tif 000013
【図１２】
2004165953.tif 000014